(57)【要約】      （修正有）【課題】簡単に上着の胸ポケットに差し込むことができる簡易ポケットチーフを提供する。【解決手段】ポケットに収納可能な寸法の略矩形をした表材と裏材とを重ねて周囲を固定することで内部に薄空間を形成し、表材又は裏材にカード体を薄空間に挿し込み可能な短冊形状の穴を設けたカードホルダ部２と、所望の折り方をしたチーフ材であってカードホルダ部の上辺に設けられたチーフ部１と、を備えたことを特徴とする。【選択図】図１
0003197987.tif 000002
【実用新案登録請求の範囲】
【請求項１】
ポケットに収納可能な寸法の略矩形をした表材と裏材とを重ねて周囲を固定することで内部に薄空間を形成し、表材又は裏材にカード体を前記薄空間に挿し込み可能な短冊形状の穴を設けたカードホルダ部と、
所望の折り方をしたチーフ材であって前記カードホルダ部の上辺に設けられたチーフ部と、
を備えたことを特徴とする簡易ポケットチーフ。
【請求項２】
カード部と、
所望の折り方をしたチーフ材であって前記カード部の上辺に設けられたチーフ部と、
ポケットに収納可能な寸法の略矩形をした表材と裏材とを重ねて周囲を固定することで内部に薄空間を形成し、その上辺に前記カード部を前記薄空間に挿入可能な開口部を有すると共に、前記表材又は裏材にカードを前記薄空間に挿し込み可能な短冊形状の穴を設けたカードホルダ部と、
を備えたことを特徴とする簡易ポケットチーフ。
【請求項３】
更に、前記開口部を前記カードホルダ部の下辺にも設け、更に、前記カード部の下辺にも他のチーフ部を設けたことを特徴とする請求項２に記載の簡易ポケットチーフ。
【請求項４】
更に、前記チーフ部を、前記カードホルダ部の下辺にも設けたことを特徴とする請求項１に記載の簡易ポケットチーフ。
【請求項５】
カードを収納可能なカードホルダ部と、
当該カードホルダ部の上辺に設けられ且つ所望の折り方をしたチーフ材からなるチーフ部と、
を備えたことを特徴とする簡易ポケットチーフ。
【考案の詳細な説明】
【技術分野】
【０００１】
本考案は、簡単に上着の胸ポケットに差し込むことができる簡易ポケットチーフに関するものである。
【背景技術】
【０００２】
従来から特許文献１に記載されているような簡易ポケットチーフが知られている。この簡易ポケットチーフは、上着の胸ポケットに差し込む大きさに形成したカード状の差込片の上辺から装飾用ハンカチーフを露出させたポケットチーフ本体と、薄板状の部材である支持体とを備えている。前記支持体に形成された逆Ｕ字状の挟持片によりポケットチーフ本体を挟持することで、ポケットチーフ本体を所定の高さで支持することができる。これにより、当該ポケットチーフ本体の高さを調整可能としている。
【先行技術文献】
【特許文献】
【０００３】
【特許文献１】特開２００９−１１４５８７号公報
【考案の概要】
【考案が解決しようとする課題】
【０００４】
ところで、近年では電子マネーの発達により、電子マネーに関する情報を記憶したカードをバッグや服のポケットから出し入れする頻度が高くなっている。一般的には、カードケース等に電子マネーのカードを入れて、カードケースごと出し入れしていることが多い。しかしながら、カードケースを服のポケットやバッグ等から取り出すのは面倒であり、取り出しに時間がかかるとゲートの通過に時間がかかり、周囲に迷惑を及ぼすこともある。本考案は、係る問題点を解決するためになされたものである。
【課題を解決するための手段】
【０００５】
本考案に係る簡易ポケットチーフは、ポケットに収納可能な寸法の略矩形をした表材と裏材とを重ねて周囲を固定することで内部に薄空間を形成し、表材又は裏材にカード体を前記薄空間に挿し込み可能な短冊形状の穴を設けたカードホルダ部と、所望の折り方をしたチーフ材であって前記カードホルダ部の上辺に設けられたチーフ部と、を備えたことを特徴とする。
【０００６】
また、本考案に係る簡易ポケットチーフは、カード部と、所望の折り方をしたチーフ材であって前記カード部の上辺に設けられたチーフ部と、ポケットに収納可能な寸法の略矩形をした表材と裏材とを重ねて周囲を固定することで内部に薄空間を形成し、その上辺に前記カード部を前記薄空間に挿入可能な開口部を有すると共に、前記表材又は裏材にカードを前記薄空間に挿し込み可能な短冊形状の穴を設けたカードホルダ部と、を備えたことを特徴とする。
【０００７】
更に、前記開口部を前記カードホルダ部の下辺にも設け、更に、前記カード部の下辺にも他のチーフ部を設けても良い。更に、前記チーフ部を、前記カードホルダ部の下辺にも設けても良い。
【０００８】
また、本考案に係る簡易ポケットチーフは、カードを収納可能なカードホルダ部と、当該カードホルダ部の上辺に設けられ且つ所望の折り方をしたチーフ材からなるチーフ部とを備えたことを特徴とする。
【図面の簡単な説明】
【０００９】
【図１】本考案の実施の形態１に係る簡易ポケットチーフを示す平面図である。
【図２】図１に示した簡易ポケットチーフの裏面図である。
【図３】図１に示した簡易ポケットチーフの使用方法を示す説明図である。
【図４】図１に示した簡易ポケットチーフの使用方法を示す説明図である。
【図５】この考案の実施の形態２に係る簡易ポケットチーフを示す構成図である。
【図６】図５に示した簡易ポケットチーフの断面構成図である。
【図７】図５に示した簡易ポケットチーフの使用方法を示す説明図である。
【図８】この考案の実施の形態３に係る簡易ポケットチーフを示す構成図である。
【図９】図８に示した簡易ポケットチーフを示す断面構成図である。
【図１０】図８に示した簡易ポケットチーフの使用方法を示す説明図である。
【図１１】この考案の実施の形態４に係る簡易ポケットチーフを示す構成図である。
【図１２】図１１に示した簡易ポケットチーフの使用方法を示す説明図である。
【図１３】図１１に示した簡易ポケットチーフの使用方法を示す説明図である。
【図１４】この考案の実施の形態５に係る簡易ポケットチーフを示す斜視図である。
【考案を実施するための形態】
【００１０】
（実施の形態１）
図１は、本考案の実施の形態１に係る簡易ポケットチーフを示す平面図である。図２は、図１に示した簡易ポケットチーフの裏面図である。この簡易ポケットチーフ１００は、チーフ材を任意の折り方により形成されたチーフ部１と、チーフ部１の根元と縫い合わされたカードケース部２とから構成される。チーフ部１は、同図において所謂スリーピークスの折り方を例示しているが、これに限定されるものではない。クラッシュ、パフ、トライアングラー等の折り方を採用できる（図示省略）。また、チーフ部１の素材は、シルク、麻、リネン等が使用可能であり、織や柄も自由である。
【００１１】
カードケース部２は、全体が矩形又は長方形をした表皮革２ａと裏皮革２ｂとを張り合わせ、その周囲を固定した構造である。カードケース部２の上辺には、上記したように、チーフ部１が縫い付けられている。前記表皮革２ａの面には、図１に示すように、所定のブランド名等が記載されたタグが縫い付けられている。一方、前記裏皮革２ｂには、中央より若干チーフ部１よりで且つ短辺方向に、電子マネーのカード（Suica、Pasmo等（登録商標））やクレジットカード等を挿入可能な短冊形状の穴３が設けられている。
【００１２】
表皮革２ａと裏皮革２ｂとは周縁で縫い合わせてあり内部には矩形の薄空間２ｃが形成されるため、図３に示すように、前記穴３からカードＣを挿入することで、当該カードＣの一部が前記薄空間２ｃに挿入されて保持され、他部が穴３から外に露出した状態となる。カードＣの一部のみがカードケース部２に挿入保持されることで、他部を見ればどのようなカードＣが収納されているか簡単に判断できる。また、指でスライドすることでカードＣを穴３から簡単に取り出すことができる。更に、チーフ部１側（図中上側）にカードＣが露出していることで、簡易ポケットチーフ自体を取り出さなくても、カードＣのみを取り出すことも可能となる。
【００１３】
カードケース部２の寸法は、一般的なスーツの上着のポケットＰに収まって収納時に隠れるように設定するのが好ましい。また、カードケース部２の上部を積極的にポケットＰから露出させ得る寸法に設定しても良い。これらは、ユーザの美感によるものであり、いずれの形式を採用しても良い。
【００１４】
図４は、簡易ポケットチーフの使用方法を示す説明図である。ユーザは、簡易ポケットチーフ１００の穴３から内部の薄空間２ｃに所定のカードＣを差し込んで保持し、当該簡易ポケットチーフ１００自体を上着のポケットＰに入れる。このとき、チーフ部１の表側が上着の表側に見えるように挿し込むと良い。この状態でカードケース部２がポケットＰの内部に収められ、チーフ部１がポケットＰから露出する。これにより、簡単にポケットチーフを上着に飾ることができる。
【００１５】
次に、前記カードＣが交通系カードである場合で説明する。ユーザがポケットＰに当該簡易ポケットチーフ１００を収めた状態で駅の改札を通過するとする。交通系カードＣは、近距離通信技術により改札機の送受信部との間でカードＣ内のメモリに記憶された情報のやり取りを行う。ユーザは、改札機を通過する際、簡易ポケットチーフ１００をポケットＰから取り出して改札機の送受信機に近づける。上着のポケットＰにカードＣが入っているので、鞄等から取り出す場合に比べて極めて短時間かつ簡単にカードＣを取り出すことができる。そして、カードＣと改札機との間で通信処理が完了したら、再び簡易ポケットチーフ１００を上着のポケットＰに挿し込んで収める。そうすると、再びチーフ部１により上着を飾ることができる。
【００１６】
（実施の形態２）
図５は、この考案の実施の形態２に係る簡易ポケットチーフを示す構成図である。図６は、図５に示した簡易ポケットチーフの断面構成図である。この簡易ポケットチーフ２００は、チーフ材を任意の折り方により形成されたチーフ部１と、チーフ部１の根元と上辺において縫い合わされたカード部２１と、カード部２１を収納するカードケース部２２とから構成される。チーフ部１は、実施の形態１と同様、所謂スリーピークスの折り方を例示しているが、これに限定されるものではない。クラッシュ、パフ、トライアングラー等の折り方を採用できる（図示省略）。また、チーフ部１の素材は、シルク、麻、リネン等が使用可能であり、織や柄も自由である。
【００１７】
カード部２１は、革や樹脂材料からなるが、後述するようにカードケース部２２から露出した際にデザインや質感を統一するためにカードケース部２２と同じ素材や色を用いるのが好ましい。カード部２１は、矩形であり挿入側の下辺の両側は丸く処理されている。このカード部２１の幅は、カードケース部２２の薄空間２ｃの幅よりも狭く、長さ（図中上下方向の寸法）は、後述する薄空間２ｃの長さよりも若干小さい。また、図６に示すように、カード部２１の表面には滑り止め面２３としての機能を持たせるために微小な凹凸等を施すのが好ましい。カードケース部２２の内側面にも前記滑り止め面２３に対応する滑り止め面２４として微小な凹凸等を施すのが好ましい。
【００１８】
カードケース部２２は、表皮革２ａと中間材２ｄと裏皮革２ｂとを張り合わせた構造である。カードケース部２２の上辺には、カード部２１を挿し込むための開口部２５が設けられている。前記表皮革２ａの面には、図に示すように、所定のブランド名等が記載されたタグが縫い付けられている。一方、前記裏皮革２ｂには、中央より若干チーフ部１よりで且つ短辺方向に、電子マネーのカード（Suica、Pasmo等（登録商標））やクレジットカード等を挿入可能な短冊形状の穴３が設けられている。
【００１９】
表皮革２ａ、中間材２ｄ、裏皮革２ｂとは周縁で縫い合わせてあり内部は矩形の薄空間２ｃ、２ｅとなる。この薄空間２ｃは、表皮革２ａと中間材に第一薄空間２ｃとして形成され、中間材２ｄと裏皮革２ｂとの間に第二薄空間２ｅとして形成される。前記穴３からカードＣを挿入することで、当該カードＣの一部が前記第一薄空間２ｃに挿入されて保持され、他部が穴３から外に露出した状態となる。カードＣの一部のみがカードケース部２２に挿入保持されることで、他部を見ればどのようなカードＣが収納されているか簡単に判断できる。また、指でスライドすることでカードＣを穴３から簡単に取り出すことができる。更に、チーフ部１側（図中上側）にカードＣが露出していることで、簡易ポケットチーフ自体を取り出さなくても、カードＣのみを取り出すことも可能となる。
【００２０】
次に、第二薄空間２ｅには、開口部２５からカード部２１が挿入される。カード部２１は全て完全に挿入した状態で、図７（ａ）に示すように、チーフ部１が開口部２５から上側に出るようになる。また、カード部２１を所定の位置まで挿入した状態で前記滑り止め面２３，２４同士が当接して位置が固定される。このため、使用中にチーフ部１がずれて下がることがない。また、図７（ｂ）に示すように、チーフ部１をカード部２１と共に上に持ち上げて所定位置で前記滑り止め面２３，２４により固定することで、チーフ部１の位置を調整できる。このようにすれば、カードケース部２２の下端からチーフ部１までの距離が長くなるので、深いポケットＰにも対応できる。
【００２１】
前記カードケース部２２の寸法は、一般的なスーツの上着のポケットＰに収まって収納時に隠れるように設定するのが好ましい。また、カードケース部２２の上部を積極的にポケットＰから露出させ得る寸法に設定しても良い。これらは、ユーザの美感によるものであり、いずれの形式を採用しても良い。
【００２２】
この簡易ポケットチーフ２００は、実施の形態１と同様の作用効果を備えている上、チーフ部１の位置を上下方向に調整できるのでポケットＰの深さに応じて調整できる。なお、上記滑り止め面２３，２４については、カード部２１やカードケース部２２の素材の選択により省略することも可能である。
【００２３】
（実施の形態３）
図８は、この考案の実施の形態３に係る簡易ポケットチーフを示す構成図である。図９は、図８に示した簡易ポケットチーフを示す断面構成図である。この簡易ポケットチーフ３００は、実施の形態２と略同じ構成であるが、カード部３１の下辺に別のチーフ部３９を設けた点が異なる。また、カードケース部３２は上辺及び下辺にそれぞれ開口部３３，３４が設けられる。その他の構成は実施の形態２と同様であるため、説明を省略し同一構成要素には同一符号を付する。
【００２４】
カード部３１は、実施の形態２のカード部２１よりも長さが短い。チーフ部３９は、カード部３１の上辺に設けたチーフ部１とは異なるデザインや折り方のものを用いるのが好ましい。図１０（ａ）に示すように、このチーフ部１及びカード部３１を第二薄空間２ｅに差し込み、当該第二薄空間２ｅ内でチーフ部３９を展開して嵩張らないように広げておく。片方のチーフ部１をカードケース部２から出す場合は、当該チーフ部１を引っ張り片方の開口部３３から適切な分量だけ出すようにする。このとき、他方のチーフ部３９は、カードケース部３２に収納されている。このため、当該片方のチーフ部１をもってポケットＰを飾ることができる。
【００２５】
次に、他方のチーフ部３９を用いる場合、図１０（ｂ）に示すように、当該他方のチーフ部３９の先端を持ってカードケース部３２の下辺の開口部３４から引き出し、所定位置で固定する。この状態で、片方のチーフ部３９は、カードケース部３２内に収納されて固定される。これにより、当該他方のチーフ部３９をもってポケットＰを飾ることができる。
【００２６】
このように、この簡易ポケットチーフ３００は、実施の形態１及び２と同様の作用効果を奏する他、異なるデザインや折り方のチーフ部１，３９を使用できるので、大変便利である。
【００２７】
（実施の形態４）
図１１は、この考案の実施の形態４に係る簡易ポケットチーフを示す構成図であり、（ａ）は表面、（ｂ）は裏面を示す。この簡易ポケットチーフ４００は、実施の形態１に係る簡易ポケットチーフ１００のカードケース部２の下辺にも上辺と同様のチーフ部４１を設けた点に特徴がある。なお、穴４３は、カードケース部２の上下方向で略中央付近に設けられている。その他の構成は実施の形態１と同様であるため、説明を省略し同一構成要素には同一符号を付する。
【００２８】
上記上辺に設けたチーフ部１と下辺に設けたチーフ部４１とは異なるデザインや柄、折り方にできる。前記穴４３は、中央に設けてあるため、カードＣを上方向から挿し込んでも（図１２では上方向から挿し込んだ例を示す）、下方向から挿し込んでも、略同じ量だけカードＣが露出する。
【００２９】
図１３は、この簡易ポケットチーフの使用方法を示す説明図である。片方のチーフ部１を用いる場合、他方のチーフ部４１を折り返した状態でポケットＰに差し込む。これにより、片方のチーフ部１がポケットＰを飾ることになる。また、前記他方のチーフ部４１を用いる場合は、前記片方のチーフ部１をカードケース部２側に折り返してポケットＰに差し込む。これにより、他方のチーフ部４１によりポケットＰを飾ることができる。
【００３０】
このように、この簡易ポケットチーフ４００は、実施の形態１と同様の作用効果を奏する他、異なるデザインや折り方のチーフ部１，４１を使用できるので、大変便利である。
【００３１】
（実施の形態５）
図１４は、この考案の実施の形態５に係る簡易ポケットチーフを示す斜視図である。このように、カードケース部５２を側辺部の開口部５３が開くような構造にしても良い。カードケース部５２の上辺部５４には、上記実施の形態と同様のチーフ部１が設けられる。前記カードケース部５２は、上辺部５４及び下辺部５５が蛇腹構造等になっており、開口部５３と反対の側辺部５６は閉じている。必要により、開口部５３を閉じるためのバンド部５７を設けると良い。
【００３２】
このような構成であっても、上記カードケース部５２をポケットＰに収納することで、チーフ部１によりポケットＰを飾ることができる。また、カードＣを複数枚入れることが可能になる。
【符号の説明】
【００３３】
１００  簡易ポケットチーフ
１  チーフ部
２  カードケース部
２ａ  表皮革
２ｂ  裏皮革
３  穴
２ｃ  薄空間
Ｃ  カード
【図１】
0003197987.tif 000003
【図２】
0003197987.tif 000004
【図３】
0003197987.tif 000005
【図４】
0003197987.tif 000006
【図５】
0003197987.tif 000007
【図６】
0003197987.tif 000008
【図７】
0003197987.tif 000009
【図８】
0003197987.tif 000010
【図９】
0003197987.tif 000011
【図１０】
0003197987.tif 000012
【図１１】
0003197987.tif 000013
【図１２】
0003197987.tif 000014
【図１３】
0003197987.tif 000015
【図１４】
0003197987.tif 000016